(57)【要約】【課題】【解決手段】複数の発光ダイオードを有する照明システムであって、各発光ダイオードは、所定の色域の光を発するように構成され、所定の色域に応じて対応するグループに配置される。複数の電力出力制御装置の各々は、発光ダイオードの対応するグループに所定の電力レベルを出力するように構成され、マスタ制御装置は、前記複数の電力出力制御装置に結合され、同期させるように作動可能である。マスタ制御装置は、相互に対する出力電力の所望のデューティサイクル、サイクル周期、および位相シフトを示すデータを遠隔装置から受信するように動作可能である。【選択図】図８
2020518118.tif 000002
【特許請求の範囲】
【請求項１】
照明システムであって、
所定の色域の光を発するように構成され、前記所定の色域に応じた対応グループに各々が配置される複数の発光ダイオードと、
前記発光ダイオードの対応グループの一つの出力電力を調節するように各々が作動可能な複数の出力制御装置と、
前記複数の出力制御装置に結合されて前記複数の出力制御装置を同期するように作動可能であり、所望のデューティサイクル、サイクル期間、及び互いに対する前記出力電力の位相シフトを示すデータを遠隔装置から受信するように作動可能なマスタ制御装置と、
を含む照明システム。
【請求項２】
前記複数の電力出力制御装置は、各々が異なる色域に対応する３台の制御装置から構成された、請求項１に記載の照明システム。
【請求項３】
前記異なる色域は、約４５０ナノメートル、約５２５ナノメートルおよび約６５０ナノメートルから成る波長に対応するピーク周波数を有する光スペクトルでの周波数帯域の集合を画定する、請求項２に記載の照明システム。
【請求項４】
前記３台のうちの第２制御装置からの第２出力が前記３台のうちの第１制御装置からの第１出力に対して位相シフトされ、前記３台のうちの第３制御装置からの第３出力が前記第１出力および前記第２出力に対して位相シフトされる、請求項２に記載の照明システム。
【請求項５】
前記第１出力に対する前記第２出力の前記位相シフトは１２０度である、請求項４に記載の照明システム。
【請求項６】
前記第２出力に対する前記第３出力の前記位相シフトは１２０度である、請求項４に記載の照明システム。
【請求項７】
前記第１出力に対する前記第２出力の前記位相シフトは１２０度であり、前記第２出力に対する前記第３出力の前記位相シフトは１２０度である、請求項４に記載の照明システム。
【請求項８】
前記３台の制御装置は、第１制御装置、第２制御装置および第３制御装置から成り、前記マスタ制御装置は、前記第１制御装置、前記第２制御装置および前記第３制御装置へデータを出力して関連の前記発光ダイオードの対応のデューティサイクルを調節するように作動可能である、請求項２に記載の照明システム。
【請求項９】
前記デューティサイクルは独立して調節可能であり、これによって異なる密度の光出力を発生させる、請求項８に記載の照明システム。
【請求項１０】
前記照明システムにより照射されている植物に関するデータを格納する植物入力ユニットに前記マスタ制御装置が作動結合されている、請求項１に記載の照明システム。
【請求項１１】
前記植物入力ユニットは、複数の植物のプロファイルに関するデータを記憶するように作動可能である、請求項１０に記載の照明システム。
【請求項１２】
前記プロファイルは、前記複数の発光ダイオードのタイミング、デューティサイクル、または光密度と、前記複数の発光ダイオードの位相シフトおよび前記複数の発光ダイオードのサイクル期間とに関するデータを有する、請求項１１に記載の照明システム。
【請求項１３】
照明システムであって、前記照明システムは以下を含む、
ＬＥＤからの光出力の色域に基づいて二つ以上のグループから成るアレイ状に配列された複数の発光ダイオード（ＬＥＤ）と、
前記二つ以上のグループの各々に一つずつが割り当てられ、割り当てられた前記発光ダイオードグループへの出力電力を調節するように各々が作動可能である複数の出力制御装置と、
前記複数の出力制御装置に結合されて前記複数の出力制御装置を同期させるように作動可能であり、前記出力電力の所望のデューティサイクル、サイクル期間および互いに対する位相シフトを示すデータを遠隔装置から受信するように作動可能なマスタ制御装置。
【請求項１４】
前記複数の電力出力制御装置は、各々が異なる色域に対応する３台の制御装置から構成された、請求項１３に記載の照明システム。
【請求項１５】
前記異なる色域は、約４５０ナノメートル、約５２５ナノメートルおよび約６５０ナノメートルから成る波長に対応するピーク周波数を持つ光スペクトルでの周波数帯域の集合を画定する、請求項１４に記載の照明システム。
【請求項１６】
前記３台のうちの第２制御装置からの第２出力が前記３台のうちの第１制御装置からの第１出力に対して位相シフトされ、前記３台のうちの第３制御装置からの第３出力が前記第１出力および前記第２出力の両方に対して位相シフトされる、請求項１４に記載の照明システム。
【請求項１７】
前記第１出力に対する前記第２出力の前記位相シフトは１２０度である、請求項１６に記載の照明システム。
【請求項１８】
前記第２出力に対する前記第３出力の前記位相シフトは１２０度である、請求項１６に記載の照明システム。
【請求項１９】
前記３台の制御装置は第１制御装置、第２制御装置および第３制御装置から成り、前記マスタ制御装置は前記第１制御装置、前記第２制御装置および前記第３制御装置へデータを出力して前記関連の発光ダイオードの前記対応のデューティサイクルを調節するように作動可能である、請求項１４に記載の照明システム。
【請求項２０】
前記デューティサイクルは独立して調節可能であり、これによって異なる密度の光出力を発生させる、請求項１９に記載の照明システム。
【発明の詳細な説明】
【技術分野】
【０００１】
関連出願の相互参照
本出願は、２０１７年４月２１日に出願された米国仮特許出願第６２／４８８，６２１号、２０１７年４月２１日に出願された米国仮特許出願第６２／４８８，６２２号、２０１７年４月２１日に出願された米国仮特許出願第６２／４８８，６０７号の優先権を主張し、これらの内容は参照によりその全体が援用される。
【０００２】
本開示は、発光ダイオード（ＬＥＤ）光スタックに概ね関係する。特に、本願の主題は一つ以上の照明システムを有する光スタックに概ね関係する。
【背景技術】
【０００３】
光スタックアセンブリおよびシステムは、オンとオフ位置の間にある複数の光源を具備する。光スタックアセンブリは単一の電力抽出設定を有し、使用寿命全体にわたってエネルギー消費を削減するように調節することができない。光スタックは家庭、ビジネス、または他の環境で具備されうるが、特定の時間帯の不要な光出力のためにエネルギー効率が悪いことがよくある。
【図面の簡単な説明】
【０００４】
本願技術の具現例が、添付図の参照により単なる例として記載されている。
【０００５】
【図１】本開示による多角度レンズモジュールの等角図である。
【図２】本開示による多角度レンズモジュールの等角底面図である。
【図３】本開示による多角度レンズモジュールの第１側壁セットの立面図である。
【図４】本開示による多角度レンズモジュールの第２側壁セットの立面図である。
【図５】本開示による多角度レンズモジュールの概略図である。
【図６】本開示の第二の例による多角度レンズモジュールの第２側壁セットの立面図である。
【図７】本開示によるシステムにおける複数の多角度レンズモジュールの等角図である。
【図８】本開示による照明システムの概略図である。
【図９】本開示により対応グループで配置される複数のＬＥＤの概略図である。
【図１０Ａ】本開示による複数のＬＥＤの位相をシフトするマスタ制御装置のグラフである。
【図１０Ｂ】本開示による複数のＬＥＤのデューティサイクルをシフトするマスタ制御装置のグラフである。
【図１１】本開示による細孔サイズのグラフである。
【図１２】本開示による吸収速度のグラフである。
【図１３】本開示による光スタックアセンブリおよび装着構造の等角正面図である。
【図１４】本開示による光スタックアセンブリの等角背面図である。
【図１５】本開示による図１３の光スタックアセンブリおよび装着構造の等角分解図である。
【図１６】本開示による光スタックアセンブリの後方部分の上面図である。
【発明を実施するための形態】
【０００６】
説明を簡単かつ明瞭にするため、適宜に異なる図の間で参照番号が繰り返し対応または類似の要素を指すことが認識されるだろう。加えて、本明細書に記載される実施例の完全な理解を得るため多数の具体的な詳細が記載されている。しかしながら、本明細書に記載される実施形態はこれらの具体的な詳細なしに実施可能であることが当業者には理解されるだろう。他の実施例では、記載される関係の関連特徴を曖昧にしないように方法と手順と構成要素とが詳しく記載されていない。また、説明はここに記載される実施形態の範囲を限定するものとみなしてはならない。図面は必ずしも縮尺通りではなくてもよく、本開示の詳細および特徴をより分かりやすく例示するため或る部品の比率が誇張されている。
【０００７】
本開示全体に適用される幾つかの定義を提示する。「結合された（ｃｏｕｐｌｅｄ）」の語は、直接的であれ、介在の構成要素を通して間接的であれ、接続されたと定義され、必ずしも物理的な接続に限定されない。接続は、物体が永久的に接続されるか離脱可能に接続されるようなものでありうる。「実質的に（ｓｕｂｓｔａｎｔｉａｌｌｙ）」の語は、特定の寸法、形状、または実質的に修正する他の語に本質的に一致するものと定義されるので、構成要素そのままである必要はない。例えば、実質的な円筒形は、その物体が円筒体に類似しているか真の円筒体から一つ以上の偏差を有しうることを意味する。「約（ａｂｏｕｔ）」の語は、ほぼ、近く、今にも、または数値表示から大きな偏差を伴わないことを意味する。「含む」の語は「含むが必ずしも限定されない」を意味する。具体的には、無制限に含めること、またはそのように記載された組み合わせ、グループ、シリーズ、その他での構成物を示す。
【０００８】
「光源（ｌｉｇｈｔ  ｓｏｕｒｃｅ）」または「光アレイ（ｌｉｇｈｔ  ａｒｒｒａｙ）」の語は、発光ダイオード（ＬＥＤ）、小型蛍光灯（ＣＦＬ）、蛍光灯、白熱灯、赤外線を含むが、これらに限定的されない光（人間の眼にとって可視または不可視の）を発生させることが可能な何らかの要素を含むものと定義される。
【０００９】
本開示は、長形体の近位端部から遠位端部まで延在する長さを有する長形体を有する光スタックアセンブリについてのものである。複数のＬＥＤアレイが長形体に結合され、その長さに沿って配置される。複数のＬＥＤアレイには制御モジュールが結合されうる。制御モジュールは、発光状態と非発光状態との間で複数のＬＥＤアレイの各々を個々に移行させるように構成されうる。
【００１０】
制御モジュールは、発光状態と非発光状態との間で複数のＬＥＤアレイを移行させることができ、これにより複数のＬＥＤアレイのうち近位端部に隣接するＬＥＤアレイは、遠位端部の方のＬＥＤアレイに先立って発光状態にある。制御モジュールは、外部ソースから受信したコマンドに基づいて複数のＬＥＤアレイのうち対応のものを発光状態に移行させることができる。
【００１１】
光スタックアセンブリはさらに、制御モジュールと結合されて長形体の長さに沿って配置される複数の近接センサを含みうる。複数の近接センサは、所定距離内の物体を記録するように構成されうる。複数のＬＥＤアレイの各々は、これに隣接した近接センサを有しうる。制御モジュールは、所定距離内の物体を記録する複数の近接センサのいずれかに隣接する複数のＬＥＤアレイを移行させることができる。例えば、複数の近接センサは、長形体の近位端部と中央との間で所定距離内の物体を記録することができ、制御モジュールはこれに応じて長形体の近位端部と中央との間に配設された複数のＬＥＤアレイのいずれかを発光状態へ移行させることができる。別の例で、近接センサは長形体の近位端部に隣接する物体を記録し、制御モジュールは近位端部に隣接するＬＥＤアレイを非発光状態から発光状態へ移行させることができる。
【００１２】
複数のＬＥＤアレイの各々は一つ以上のレンズモジュールを含みうる。複数のＬＥＤアレイの各々は、長形体の長さに沿って互いに実質的に等間隔に配置することができる。複数のＬＥＤアレイは、一部分が近位端部に近接して設けられて、一部分が遠位端部に近接して設けられるように配置されうる。近位端部にある複数のＬＥＤアレイの部分は、長形体の遠位端部にある複数のＬＥＤアレイの部分よりも互いの間隔が近い。複数のＬＥＤアレイは長形体の一つの側に設けられうる。複数のＬＥＤアレイは長形体の二つ以上の側に設けられうる。一例において、ＬＥＤアレイは長形体の四つ以上の側に設けられうる。
【００１３】
制御モジュールは、所定の時間長の後に複数のＬＥＤアレイの各々を非発光状態から発光状態へ移行させることができる。所定の時間長は、複数のＬＥＤアレイの各々について異なりうる。複数のＬＥＤアレイは長形体に対して傾斜しうる。角度は１５度と６０度との間であり、より具体的には約３０度である。
【００１４】
傾斜レンズは長形体に結合され、傾斜レンズの発光面は長形体に応じた角度を成しうる。
【００１５】
多角度レンズモジュールが図１〜７に関して記載され、照明システムおよび光制御装置が図８〜１２に関して記載される。少なくとも一つの例で、図１〜７に記載の多角度レンズモジュールは、図８〜１２に関して記載される光制御システムおよび光制御装置とともに具現され、図１３〜１７に関して記載される光スタックアセンブリの中にまとめて収容されうる。
【００１６】
以下では、多角度レンズモジュール、光制御システム、光制御装置についてのより詳細な記述を以下の図を参照して提供する。
【００１７】
図１は、本開示による多角度レンズモジュールの等角図である。レンズモジュール１００は、受光エリア１０２（図２に明示）と発光エリア１０４とを有しうる。受光エリア１０２と発光エリア１０４とは実質的に平行であって所定距離１５０だけ離間している。レンズモジュール１００はまた、各々が受光エリア１０２から延出する第１側壁セット１０６と第２側壁セット１１０とを含みうる。第１側壁セット１０６は実質的に互いに平行であり、同様に第２側壁セット１１０も実質的に互いに平行でありうる。
【００１８】
第１側壁セット１０６は、受光エリア１０２から延出する輪郭部分１０８を有しうる。第１側壁セット１０６は、受光エリア１０２と発光エリア１０４との間で所定距離１５０だけ延在する。第２側壁セット１１０は、受光エリア１０２から延出して所定距離１５０の少なくとも一部分に延在する輪郭部分１１２を有しうる。
【００１９】
第１側壁セット１０６は、発光エリア１０４から延出する法線ベクトル１５２に対する第１反射角度１１４の発光を生じ、第２側壁セット１１０は法線ベクトル１５２に対する第２反射角度１１６の発光を生じる。
【００２０】
第１側壁セット１０６と第２側壁セット１１０の各々は、内面１１８と外面１２０とを有しうる。内面１１８はそれぞれ輪郭部分１０８，１１２を有しうる。内面１１８は反射可能であり、および／または、それぞれ輪郭部分１０８，１１２からの光を反射するように構成される反射コーティングを有しうる。
【００２１】
少なくとも一つの例では、高反射率を有する金属、例えばアルミニウムから、レンズモジュール１００が形成される。別の例で、レンズモジュール１００は内面１１８の光反射性を最大化するように研磨されうる。他の例で、レンズモジュールは、成形、押出成形、または他の方法でプラスチックから形成され、レンズモジュール１００の内面１１８は内面１１８の反射性を高めるように反射フィルム、例えばアルミ箔でコーティングされうる。
【００２２】
外面１２０はそれぞれ輪郭部分１０８，１１２を鏡像化することができ、或いは他の何らかの形状に形成されうる。少なくとも一つの例で、外面１２０は実質的に垂直であり、一方で内面１１８は輪郭部分１０８，１１２を有する。第１側壁セット１０６および第２側壁セット１１０の厚さは、外面１２０の配置に応じて輪郭部分１０８，１１２に沿って内面１１８と外面１２０との間で変化しうるか、内面および外面の配置に応じて実質的に同じでありうる。
【００２３】
レンズモジュール１００は、重合体、複合体、金属、樹脂、木材、および／またはその組み合わせを限定的ではなく含む幾つかの材料から、押出成形、成形、圧延、または他の方法で形成されうる。
【００２４】
図２は、本開示による多角度レンズモジュールの等角底面図である。受光エリア１０２は実質的に平坦面であり、光源（図５に図示）に隣接結合されてレンズモジュール１００への光を受け取るように構成されうる。受光エリア１０２は矩形面として詳述されるが、受光エリア１０２は、方形、円形、楕円形、および／または卵形を限定的でなく含む何らかの多角形形状でありうる。
【００２５】
受光エリア１０２は実質的に透明またはクリアな表面であって、光源（図５に図示）から進んできた光をレンズモジュール１００へ進入させることができる。少なくとも一つの例で、受光エリア１０２は、光源からレンズモジュール１００への受光を可能にする光学ガラスから形成されうる。他の例で、受光エリア１０２は、レンズモジュールの底面１２２に形成されてレンズモジュール１００への受光を可能にする開口部（アパーチャー）または空隙でありうる。
【００２６】
図１および２からさらに分かるように、レンズモジュール１００は、レンズモジュール１００の上方部分１２４と結合される拡散体１２６を含みうる。拡散体１２６は発光エリア１０４を実質的に被覆できる。少なくとも一つの例で、拡散体１２６は、発光エリア１０４よりも延出し、レンズモジュール１００を支持構造またはトレイ（図７に図示）と結合するリップ１２８が設けられうる。
【００２７】
拡散体１２６は、これと結合される一つ以上の拡散レンズ１３０を有しうる。一つ以上の拡散レンズ１３０はレンズモジュール１００の光分布を最大化し、第１反射角度および第２反射角度とともに光混合を向上させうる。
【００２８】
図３は、本開示による多角度レンズモジュールの第１側壁セットの側面図である。第１側壁セット１０６は輪郭部分１０８を形成しうる。輪郭部分１０８は単一の拡張方程式（ｓｉｎｇｌｅ  ｅｘｔｅｎｓｉｖｅ  ｅｑｕａｔｉｏｎ）により定義されうる。単一の拡張方程式は、第１側壁セット１０６の各側壁の輪郭部分１０８を個々に定義できる。少なくとも一つの例で、輪郭部分は放物線関数により表されうる。一例で、第１側壁セットは、次の方程式により形成される放物線曲率により定義されうる。
【００２９】
【数１】
2020518118.tif 000003
【００３０】
輪郭部分１０８は、発光エリア１０４から延出する法線ベクトル１５２に対して第１反射角度１１４を生じる。法線ベクトル１５２は発光エリア１０４から垂直に延出する。輪郭部分１０８は、光源から発せられて発光エリア１０４を通る光を第１反射角度１１４で反射させるように構成されうる。
【００３１】
第１反射角度１１４は、法線ベクトル１５２に対しておよそ１５°と８５°の間でありうる。第１反射角度１１４は第１側壁セット１０６の輪郭部分１０８により決定され、輪郭部分１０８を変化させることにより変更されうる。幾つかの例で、第１側壁セット１０６の単一示量性方程式および／または放物線関数を変化させることにより第１反射角度が変えられる。
【００３２】
図４は、本開示による多角度レンズモジュールの第２側壁セットの側面図である。第２側壁セット１１０は輪郭部分１１２を形成する。輪郭部分１１２は単一の拡張方程式により定義されうる。単一の拡張方程式は、第２側壁セット１１０の各側壁の輪郭部分１１２を個々に定義しうる。少なくとも一つの例で、輪郭部分は放物線関数により表されうる。一例で、第２側壁セットは、次の方程式により形成される放物線曲率により定義されうる。
【００３３】
【数２】
2020518118.tif 000004
【００３４】
輪郭部分１１２は、発光エリア１０４から延出する法線ベクトル１５２に対して第２反射角度１１６を生じる。輪郭部分１１２は、光源から発せられて発光エリア１０４を通る光を第２反射角度１１６で反射させるように構成されうる。
【００３５】
第２反射角度１１６は、法線ベクトル１５２に対しておよそ１５°と８５°の間でありうる。第２反射角度１１６は第２側壁セット１１０の輪郭部分１１２により決定され、輪郭部分１０８を変えることにより変更されうる。幾つかの例では、第２側壁セット１１０の単一の拡張方程式および／または放物線関数を変化させることにより第１反射角度が変えられる。
【００３６】
少なくとも一つの例で、第２側壁セット１１０の輪郭部分１１２は二つの個別輪郭部分を有しうる。二つの個別輪郭部分のうち第１部分１３２は、受光エリア１０２から所定距離１５０の区分１３６に延在しうる。二つの個別輪郭部分の第２部分１３４は所定距離１５０の残りの区分１３８に延在しうる。第１個別輪郭部分１３２および第２個別輪郭部分１３４がまとまって所定距離１５０の全体を構成する。区分１３６は実質的に二分の一であり、残りの区分１３８は実質的に二分の一でありうる。他の例で、区分１３６は１０分の３（３０％）と１０分の７（７０％）との間のいかなる数でもよい。
【００３７】
図５は、本開示による多角度レンズモジュールの概略図である。多角度レンズモジュール１００は第１反射角度１１４と第２反射角度１１６とを生じ、第１反射角度１１４は第２反射角度１１６と異なっている。第１反射角度１１４と第２反射角度１１６とは、レンズモジュール１００の光分布１５８を決定しながら光源１５４から受けた光の光混合を行う。
【００３８】
光源１５４は受光エリア１０２に隣接し、受光エリア１０２を通してレンズモジュール１００へ光を提供する。光はレンズモジュール１００を通過し、第１側壁セット１０６および／または第２側壁セット１１０により反射され、第１反射角度１１４または第２反射角度１１６で発光エリア１０４から出射される。
【００３９】
光源１５４はＬＥＤアレイでありうる。ＬＥＤアレイは、一緒に配置される一つ以上のＬＥＤでありうる。一つ以上のＬＥＤの各々は所定波長の光を発し、所定波長は一つ以上のＬＥＤの各々について異なりうる。ＬＥＤアレイはさらに、レンズモジュール１００と光源１５４との間に配設されるシリカゲル１６０を含みうる。少なくとも一つの例において、ＬＥＤアレイは４×４のダイオードによるＬＥＤアレイでありうる。別の例で、ＬＥＤアレイは二つのダイオードによるＬＥＤアレイでありうる。
【００４０】
レンズモジュール１００は、第１反射角度１１４と第２反射角度１１６とを生じることにより光源１５４の最適な光分布１５８を提供できる。拡散体１２６はさらに、所望の光分布１５８の達成を助けることができる。少なくとも一つの例で、光源１５４は二つ以上の個々の光源を有し、各々が異なる波長の光を発生させる。レンズモジュール１００は光混合を最大化して、光分布１５８が二つ以上の個々の光源の各々の実質的に均質な混合であることを保証するように具現されうる。
【００４１】
図６は、本開示による多角度レンズモジュールの第二の例である。多角度レンズモジュール２００は、輪郭部分２０８を有する第１側壁セット２０６と輪郭部分２１２を有する第２側壁セット２１０とを有しうる。第１側壁セット２０６の輪郭部分２０８は単一の拡張放物線方程式（ｓｉｎｇｌｅ  ｅｘｔｅｎｓｉｖｅ  ｐａｒａｂｏｒｉｃ  ｅｑｕａｔｉｏｎ）により形成され、受光エリア２０２と発光エリア２０４との間に延在する。受光エリア２０２と発光エリア２０４とは所定距離２５０だけ離間している。第１側壁セット２０６は、発光エリア２０４から延出する法線ベクトル２５２に対する第１反射角度２１４を生じうる。
【００４２】
第２側壁セット２１０の輪郭部分２１２は二つの個別輪郭部分を有しうる。二つの個別輪郭部分のうち第１部分は所定距離２５０の区分２６０に延在し、単一の拡張放物線方程式による。二つの個別輪郭部分のうち第１部分は、第１側壁セット２０６の輪郭部分２０８と同じでありうる。
【００４３】
二つの個別輪郭部分のうち第２部分は、所定距離２５０の残りの区分２６２に延在しうる。区分２６０と残りの区分２６２とは所定距離２６０の全体を構成する。少なくとも一つの例で、区分２６０は実質的に二分の一であり、残りの区分２６２は実質的に二分の一である。
【００４４】
二つの個別輪郭部分のうち第２部分は実質的に垂直であり、法線ベクトル２５２に平行である。二つの個別輪郭部分のうち第２部分により、二つの個別輪郭部分のうち第１部分が第１側壁セット２０６の輪郭部分２０８の鏡像である時でも、第２側壁セット２１０は法線ベクトル２５２に対して第２反射２１６角度を生じることができる。第１反射角度２１４と第２反射角度２１６とは異なっているが、個々に約１５°と８５°との間のいずれかの角度でありうる。
【００４５】
図７は、本開示によるシステムと結合される複数の多角度レンズモジュールの等角図である。システム３００は、トレイ３０４に結合される複数の多角度レンズモジュール３０２を含みうる。トレイ３０４は、レンズモジュール３０２のリップ３０８と係合するように構成される周囲要素３０６を有しうる。リップ３０８と周囲要素３０６との間に圧力嵌めが生じるように、クランプ要素（不図示）が配置されうる。少なくとも一つの例で、レンズモジュール３０２の各々は個々のクランプ要素を有しうる。他の例で、トレイ３０４は、複数のレンズモジュール３０２と係合する単一のクランプ要素を有しうる。
【００４６】
図８は、本開示による照明システムである。照明システム８００は、複数の光源８０２と複数の電力出力制御装置８０４とマスタ制御装置８０６とを有しうる。少なくとも一つの例で、複数の光源８０２は複数の発光ダイオードであり、図１〜７に記されたレンズモジュールと各々が結合される。
【００４７】
複数の光源８０２の各々は、所定波長の光を出力するように構成され、所定波長にしたがって対応グループ８０８に配置されうる。少なくとも一つの例で、複数の光源８０２は三つのグループで配置され、一つのグループは約４７５ナノメートルの所定波長を有し、第２グループは約５１０ナノメートルの所定波長を有し、第３グループは約６５０ナノメートルの所定波長を有する。電力出力制御装置８０４の各々は、異なる色域に対応しうる。色域は、或る色と関連する光スペクトルでの周波数帯域の集合であり、例えば青色光は４５０ナノメートル、緑色光は５２５ナノメートル、赤色光は６５０ナノメートルである。
【００４８】
複数の電力出力制御装置８０４は、複数の光源８０２の対応グループと結合されうる。照明システム８００は、対応グループ８０８の各々について電力出力制御装置８０４を有しうる。複数の電力出力制御装置８０４は、光源８０２の対応グループ８０８へ所定電力レベルを出力するように構成されうる。
【００４９】
マスタ制御装置８０６は、複数の電力出力制御装置８０４と結合され、複数の電力出力制御装置８０４へ信号を提供するように構成されうる。マスタ制御装置８０６は、複数の電力出力制御装置８０４の各々について所望のデューティサイクル、サイクル期間、および／または位相シフトを調節できる。少なくとも一つの例で、複数の電力出力制御装置８０４とマスタ制御装置８０６とは、パルス幅変調を行って複数の光源８０２を制御できる。
【００５０】
照明システム８００はさらに、植物入力ユニット８１０を含みうる。植物入力ユニット８１０は、複数の電力出力制御装置８０４および／またはマスタ制御装置８０６と通信結合されうる。植物入力ユニット８１０は、対応グループ８０８の各々について所望のデューティサイクル、サイクル期間、および／または位相シフトを調節するように構成されうる。植物入力ユニット８１０は照明システム８００に有線または無線で結合されうる。少なくとも一つの例で、植物入力ユニット８１０は、各対応グループについて複数の植物種と関連植物種の最適デューティサイクル、サイクル期間、および／または位相シフトに関係するデータを記憶するクラウドベースの機器でありうる。別の例で、植物入力ユニット８１０は、一つ以上のデータ記憶機器を有して、一つ以上の照明システム８００を含むネットワークに通信結合されるサーバでありうる。
【００５１】
植物入力ユニット８１０は、特定の植物種および／または品種を表す入力をユーザから受信できる。そして植物入力ユニット８１０は複数の電力出力制御装置８０４および／またはマスタ制御装置８０６と通信して、光源８０２の対応グループ８０８のデューティサイクル、サイクル期間、および／または位相シフトを調節し、植物成長を最適化する。少なくとも一つの例で、植物入力ユニット８１０はモバイル電子機器８１１と通信可能に結合されるとともにクラウドベース機器と結合され、ユーザはモバイル電子機器へ植物種を入力し、植物入力ユニット８１０は複数の出力制御装置８０４および／またはマスタ制御装置８０６と通信する。別の例で、植物入力ユニット８１０はクラウドベース機器と結合されるカメラを有しうる。カメラは葉の形状または植物についての他の品質を検出して、対応グループ８０８について植物種と最適ピーク振幅とを判断する。
【００５２】
図９は、本開示により対応グループに配置された複数の光源である。複数の光源８０２は所定の波長に従って対応のグループ８０８に配置されうる。複数の光源８０２は三つの対応グループ８１２，８１４，８１６に配置され、三つの対応グループ８１２，８１４，８１６の各々は異なる所定波長を有する。少なくとも一つの例で、三つの対応グループ８１２，８１４，８１６は縦列のアレイに配置されうる。対応グループ８０８のうち第１グループ８１２は、約６５０ナノメートルの所定の波長つまり赤色の可視スペクトル内の光を発生させる複数の光源でありうる。対応グループ８０８のうち第２グループ８１４は、約５１０ナノメートルの所定波長つまり緑色の可視スペクトル内の光を発生させる複数の光源でありうる。対応グループ８０８のうち第３グループ８１６は、約４７５ナノメートルの所定波長つまり青色の可視スペクトル内の光を発生させる複数の光源でありうる。別の例で、対応グループ８０８は、７００ナノメートルと１，０００，０００ナノメートルとの間の所定波長つまり赤外線スペクトル内の光を発生させる第４光源グループを含みうる。
【００５３】
対応グループ８０８はまとまって光アレイ８１８を形成できる。光アレイ８１８内の対応グループ８０８は幾つかの手法やパターンで、またはランダムに配置されうる。対応グループ８０８は縦列、横列、斜め、ランダム順序、または他の任意の順序決め方法／アルゴリズムにより配置されうる。少なくとも一つの例で、光アレイ８１８は三つの対応グループ８１２，８１４，８１６を有し、各グループが縦列に配置され、対応グループ８１２は二つの縦列を有する。対応グループ８１２は、対応グループ８１４，８１６の２倍の数の光源８０２を備えている。他の例では、対応グループ８１２の第２縦列が赤外線など複数の異なる光源８０２であってもよい。
【００５４】
各対応グループ８０８内の光源８０２は、電気的結合８１９により特定グループ内の他の光源８０２と電子的に結合されうる。電気的結合８１９は、対応グループ内の各光源８０２を直列に結合するジャンパワイヤでありうる。代替的に、電気的結合８１９は、対応グループ８０８内の各光源８０２を直列または並列に結合するジャンパワイヤでありうる。
【００５５】
図９は三つの対応グループとして配置される四つの縦列と四つの横列とを有する光アレイ８１８を詳細に示しているが、光アレイ８１８はいかなる数の対応グループ、複数の光源、および／または配置も含みうる。
【００５６】
少なくとも一つの例で、図１〜７に記載されているレンズモジュール１００は、単一のＬＥＤ，多数のＬＥＤ，単一の対応ＬＥＤグループ、またはこれらの組み合わせと結合されうる。例えば、レンズモジュールは、第１対応グループのうち一つのＬＥＤおよび第２対応グループのうち一つのＬＥＤと結合されうる。
【００５７】
図１０Ａは、マスタ制御装置の位相シフトのグラフである。マスタ制御装置８０６は複数の電力出力制御装置８０４と結合されるとともに三つの対応グループ８１２，８１４，８１６と結合され、対応グループの各々は所定の波長を有する。三つの対応グループ８１２，８１４，８１６の各々は、個々の電力出力制御装置８０４を有しうる。マスタ制御装置８０６は、それぞれの電力出力制御装置８０４へ信号を提供して位相を調節し、こうしてピーク振幅をシフトさせる。
【００５８】
マスタ制御装置８０６は対応グループ８１２，８１４，８１６の各々へ信号を提供して第１所定時間８２６にわたってピーク電力を供給する。第１所定時間８２６の後に、マスタ制御装置８０６は複数の電力出力制御装置８０４へ信号を提供して信号を周期的な振幅変動させることができる。第２所定時間８２８に、振動信号は、複数の電力出力制御装置８０４により生じる正弦波でありうる。マスタ制御装置８０６は複数の電力出力制御装置８０４へ信号を送って、ピーク発光が隣接のピークに対して１２０度位相シフトするようにピーク振幅を調節する。第１グループ８１２のピーク振幅８２０は第１所定時間８２６にわたり、その後すぐに振動を開始する。第１グループ８１６のピーク振幅８２０に対して第２グループ８１４のピーク振幅８２２の位相をおよそ１２０度シフトさせるマスタ制御装置８０６からの信号を受けて振動を始めるまで、第２グループ８１４はピーク振幅８２２を維持できる。第３グループ８１６のピーク振幅８２４は、第２グループのピーク振幅８２２に対して位相がおよそ１２０度、第１グループのピーク振幅８２０に対して位相がおよそ２４０度シフトされうる。
【００５９】
図の例では、第１グループ８１２と第２グループ８１４と第３グループの各々について１２０度の位相シフトが詳述されているが、マスタ制御装置８０６により生じる０と３６０度の間のいかなる位相シフトを有することも本開示の範囲内である。
【００６０】
マスタ制御装置８０６は複数の電力出力制御装置８０４へ信号を提供して、対応グループ８０８の各々の発振を生じる。特定の時点での電力消費を減少させることにより、対応グループ８０８の各々についての位相シフトが総消費電力を削減させうる。三つの対応グループの各々がピーク振幅である時、例えば第１所定時間８２６に、ピーク電力消費が起こる。各対応グループ８０８のピーク振幅を互いに対してシフトさせることにより、第２所定時間８２８には電力消費が抑制されうる。
【００６１】
第２所定時間８２８はサイクル期間を表す。サイクル期間は特定グループの二つのピーク振幅の間の時間量であり、マスタ制御装置８０６により対応のグループ８０８の各々について個々にサイクル期間が短縮または延長されうる。少なくとも一つの例で、サイクル期間は１０００μｓ（マイクロ秒）でありうる。例えば、発芽および初期成長の間にはサイクル期間は短いが、成熟植物の結実の間にはサイクル期間が延長されうる。
【００６２】
少なくとも一つの例で、対応グループ８０８の各々の周期的な振幅変動は、特定の点での光吸収を減少させることなく対応グループ８０８の光源８０２の各々から光を提供できる。振幅変動は、照明システムに曝された植物が光合成のために光を吸収するのを妨げない。振動変動は、効率的な成長を維持するとともに総消費電力を削減しながら対応グループ８０８の各々の有効量を植物に提供する。
【００６３】
図の例では第１所定時間８２６にピーク振幅を有する三つの対応グループの各々を詳述しているが、第１所定時間８２６にピーク振幅となる対応グループを一つ、二つ、またはいかなる数でも有することは、本開示の範囲内である。さらに、振幅および位相シフトが三つの対応グループに関して記載されているが、マスタ制御装置と複数電力出力制御装置とが一つ、二つ、三つ、またはそれ以上の光源８０２グループで位相シフトおよび振幅変動を発生させることは、本開示の範囲内である。エネルギー削減を最大化するグループの数により位相シフトが決定されうる。例えば、二つの対応グループについては、二つのグループの間の位相シフトはおよそ１８０度であるが、四つの対応グループについては四つのグループの間の位相シフトはおよそ９０度である。
【００６４】
図１０Ｂはデューティサイクルのグラフである。マスタ制御装置８０６は対応グループ８０８の各々のデューティサイクルを個々に調節できる。デューティサイクル８５０は対応グループ８０８の断続的動作であり、発光状態と非発光状態との間で交互する。デューティサイクル８５０は、対応グループ８０８が発光状態または非発光状態である第２所定時間８２８の部分を決定できる。対応グループ８０８の各々についてのデューティサイクル８５０は、サイクル期間内で個々に制御されうる。発光状態で、対応グループ８０８は関連の電力出力制御装置８０４から一定の電流を受け取る。非発光制御装置では、対応グループ８０８は関連の電力出力制御装置８０４から電流を受け取らない。図１０Ａに関して述べたように、デューティサイクル８５０は同じ位相だけシフトされうる。
【００６５】
少なくとも一つの例で、第１グループ８１２のデューティサイクルはサイクル期間の２５％について発光状態を可能にし、一方で第２グループ８１４のデューティサイクルはサイクル期間の５０％について発光状態を生じ、そして第３グループ８１６のデューティサイクルはサイクル期間の７５％について発光状態を生じることができる。
【００６６】
少なくとも一つの例で、対応グループ８０８の各々のデューティサイクルは、第１所定時間８２６の後に開始することができ、対応グループ８０８の各々は複数の電力出力制御装置８０４から一定の電流を受け取る。
【００６７】
第１グループ８１２と第２グループ８１４と第３グループ８１６の各々のデューティサイクルを調節すると、対応グループ８０８の各々からの或る波長の光の量を増加および／または減少させることにより光出力の密度を変えることができる。例えば、第１グループ８１２の２５％から５０％までデューティサイクルを増加させると、植物に提供される赤色光の量を増加させられる。異なる密度の光出力の制御は、駆動電流を変化させることにより達成されうる。付加的に、光出力密度が駆動電流により調節されると、位相シフトおよびサイクル期間の変化を一定に保つことができる。他の例で、位相シフトおよびサイクル期間は独立的に、または一緒に調節されうる。
【００６８】
マスタ制御装置８０６は対応グループの各々についてサイクル期間、デューティサイクル、および／または位相シフトを個々に調節できる。植物入力ユニット８１０は、複数の植物について好適または最適なサイクル期間、デューティサイクル、および／または位相シフトに関係するデータを記憶し、適切なデータをマスタ制御装置８０６へ提供できる。マスタ制御装置８０６は、適切な植物に適切なサイクル期間、デューティサイクル、そして位相シフトに合わせて複数の電力出力制御装置８０４を同期させることができる。
【００６９】
図の実施形態では対応グループの各々について共通のサイクル期間を詳述しているが、対応グループの各々について個々にサイクル期間を変更することは本開示の範囲内である。
【００７０】
図１１および１２は、植物成長操作として具現された照明システムおよび関連する光制御装置に関するものである。植物成長操作は、エネルギー効率の良い植物成長を最大化するために多角度レンズモジュールの有無に関わらず照明システム８００を利用できる。照明システム８００は、植物入力ユニット８１０との結合を通して個々の植物品種に最適化されうる。図１１および１２は植物成長操作に関するものであるが、照明システムおよび関連する光制御装置を他の試みの範囲内で実施することは本開示の範囲内である。
【００７１】
図１１は細孔サイズのグラフである。照明システム８００に曝される植物の細孔サイズ８３０は時間とともに変化しうる。第１所定時間８２６の細孔サイズ８３０は照明システムへの暴露によって増加し、ゆえに光吸収速度（図１２に関して後述）を上昇させうる。第１所定時間８２６の後で第２所定時間８２８に、対応グループ８０８の振幅変動のため細孔サイズ８３０はゆっくりと減少しうる。第２時間８２８を通して、細孔サイズ８３０は効率的な植物成長に適した状態を維持しうる。
【００７２】
図１２は、光吸収速度のグラフである。照明システム８００は複数の電力出力制御装置８０４とマスタ制御装置８０６とを利用して、対応グループ８０８の各々についての周期的な振幅変動および位相シフトとにより総消費電力を管理および削減することができる。光吸収速度８３２（百分率で図示）は、光源８０２の対応グループ８０８の周期的な振幅変動中の第１時間８３４にわたって低下しうる。対応グループ８０８の各々が周期的な振幅変動を伴わずにピーク振幅で同時に操作される第２時間８３６により、光吸収速度８３２は急上昇しうる。対応グループ８０８の各々についてピーク振幅で操作を行う第２時間８３６は植物を「覚醒」させ、こうして光吸収速度を急上昇させる。第２時間８３６の後には、対応グループ８０８の周期的な振幅変動および位相シフトが起こる第３時間が続く。植物の「覚醒」期間は、所定分数の間、数時間ごと、毎日、週に一度、または利用される特定の植物種および／または品種により決定される他の期間について予定されうる。幾つかの例で、植物入力ユニット８１０は所望の「覚醒」期間を決定できる。
【００７３】
第１時間８３４と第２時間８３６と第３時間８３８の時間長は、成長操作で利用される植物種および／または品種に応じて変化しうる。第１時間８３４と第２時間８３６と第３時間８３８とは個々に長さが変化しうる。第１時間８３４と第３時間８３８とは実質的に長さが等しいが、第２時間８３６が短くてもよい。代替的に、第１時間８３４が第３時間８３８より長いが、第２時間８３６が第１時間８３４と第２時間８３８のいずれかよりかなり短くてもよい。第１時間８３４と第２時間８３６と第３時間８３８とは、植物入力ユニット８１０により決定される。少なくとも一例において、第１時間８３４と第３時間８３８とは持続時間がおよそ６０〜９０分であるが、第２時間８３６は持続時間がおよそ１０〜１５分でありうる。
【００７４】
図１３は、光スタックアセンブリ１３００の等角図である。光スタックアセンブリ１３００は長形体１３０２を有しうる。長形体１３０２は近位端部１３０４から遠位端部１３０６まで延在する長さ１３５０を有しうる。複数のＬＥＤアレイ１３０８が長形体１３０２と結合され、その長さ１５０に沿って配置される。長形体１３０２は実質的に中空であり、複数のＬＥＤアレイ１３０８が長形体１３０２と結合されてその中に配設されることが可能である。
【００７５】
長形体１３０２は、長さ１３５０に沿って配設される任意の数のＬＥＤアレイ１３０８を有してもよい。複数のＬＥＤアレイ１３０８は長形体１３０２の長さ１３５０に沿って均等に離間している。少なくとも一つの例で、長形体１３０２は、近位端部１３０４と遠位端部１３０６との間で長さ１３５０に沿って均等に離間する四つのＬＥＤアレイ１３０８を有する。他の例で、複数のＬＥＤアレイ１３０８は、遠位端部１３０６よりも近位端部１３０４で間隔が小さくなっているか、近位端部１３０４よりも遠位端部１３０６で間隔が狭くなっている。ＬＥＤアレイが四つのみ具備されている例で、中央の二つのＬＥＤアレイの間隔は最初の二つのＬＥＤアレイの間の間隔より大きい。別の例では、ＬＥＤアレイがまとめられ、第１ＬＥＤアレイグループが近位端部に近接して配設されて第１ＬＥＤアレイグループの中で均等に離間し、第２ＬＥＤアレイグループが長形体の実質的に中央に配設されて第２ＬＥＤアレイグループの間で均等に離間し、第３ＬＥＤアレイグループが遠位端部に近接して配設されて第３ＬＥＤアレイグループの間で均等に離間している。第１グループと第２グループと第３グループとの間の間隔は実質的に同じであり、グループ間の間隔はグループ内の間隔より大きい。
【００７６】
図１３は、結合された四つのＬＥＤアレイ１３０８を有する長形体１３０２を詳細に示しているが、任意の数のＬＥＤアレイ１３０８を長形体１３０２と結合することも本開示の範囲内である。例えば、長形体１３０２は、結合された２，３，５個、またはそれ以上のＬＥＤアレイ１３０８を有しうる。さらに、図１３は、長形体１３０２の一つの表面にＬＥＤアレイ１３０８を有する長形体１３０２を詳しく示しているが、長形体１３０２の二つ以上の表面にＬＥＤアレイ１３０８を具備することは本開示の範囲内である。例えば、前側に配設される複数のＬＥＤアレイ１３０８と反対の後ろ側に配設される複数のＬＥＤアレイ１３０８とを長形体１３０２が有しうる。別の例で、長形体１３０２の片側にはＬＥＤアレイが設けられず、放熱機器となりうる。
【００７７】
複数のＬＥＤアレイ１３０８は制御モジュール１３１０（図１５に明示）と結合されうる。制御モジュール１３１０は、発光状態と非発光状態との間で複数のＬＥＤアレイ１３０８の各々を個々に移行させるように構成されうる。
【００７８】
光スタックアセンブリ１３００は、長形体１３０２と制御モジュール１３１０（図１６に図示）とに結合される複数の近接センサ１３１２を有しうる。複数の近接センサ１３１２は長形体１３０２の長さ１３５０に沿って配置され、所定距離内の物体を記録するように構成されうる。複数の近接センサ１３１２は、所定距離内に物体があるかどうかを判断し、制御モジュール１３１０は、複数の近接センサ１３１２の判断を受けて複数のＬＥＤアレイ１３０８のうち一つ以上を移行させる。少なくとも一つの例で、制御モジュール１３１０は、複数の近接センサ１３１２により判断された物体に応じて隣接のＬＥＤアレイ１３０８を移行させることができる。所定距離は具備されたセンサに基づくか、制御モジュール１３１０により調節されるか、ユーザ入力を受けて設定されうる。
【００７９】
光スタックアセンブリ１３００は制御対象の植物成長環境内に具備され、複数の近接センサ１３１２は植物成長全体を判断するように配置されうる。長形体１３０２の長さ１３５０に沿って植物成長が進行するので、複数の近接センサ１３１２のうち次の近接センサが植物成長（対象物）を検出し、次のＬＥＤアレイ１３０８を非発光状態から発光状態へ移行させ、それによってエネルギー消費を削減できる。
【００８０】
長形体１３０２は、光スタックアセンブリ１３００をイントラネット、インターネット、または他のネットワークと結合する一つ以上のネットワーク接続１３１４を含みうる。光スタックアセンブリ１３００は、イントラネット、インターネット、または他のネットワークとの無線通信を可能にする無線通信モジュールも有しうる。少なくとも一つの例で、一つ以上のネットワーク接続１３１４は光スタックアセンブリ１３００を植物入力ユニット８１０およびクラウドベース記憶装置と結合できる。一つ以上のネットワーク接続１３１４は、複数の近接センサ１３１２により検出可能な所定距離に関係する入力を受信できる。
【００８１】
光スタックアセンブリ１３００は、長形体１３０２を隣接の環境と結合するように構成される装着構造１３５２を含みうる。装着構造１３５２により、光スタックアセンブリ１３００は垂直面、水平面、またはいかなる角度の表面にも装着されうる。
【００８２】
図１４は、本開示による光スタックアセンブリの等角背面図である。長形体１３０２は、重合体、金属、エポキシ樹脂、木材、または他の材料から形成、圧延、成形、機械加工、または３Ｄプリントされうる。長形体１３０２は、少なくとも一つの側に形成される放熱部分１３１６を有しうる。放熱部分１３１６は、光スタックアセンブリ１３００が廃熱を周囲環境へ排出できるように構成される受動冷却システムでありうる。放熱部分１３１６は長形体１３０２の背面に示されているが、長形体１３０２のいずれの表面に放熱部分１３１６を具備することも本開示の範囲内である。さらに、受動冷却システムが図示および説明されているが、非受動的な冷却システム、例えば強制的な空気冷却または液体冷却を具現することは本開示の範囲内である。
【００８３】
図１５は、本開示による光スタックアセンブリと装着構造との分解図である。光スタックアセンブリ１３００は、長形体１０３２に結合されてＬＥＤアレイ１３０８の発光面となるレンズ１３１８を有しうる。光スタックアセンブリ１３００は、複数のＬＥＤアレイ１３０８の各々に対応する複数のレンズ１３１８を有しうる。複数のレンズ１３１８は長形体１３０２に対して或る角度１３２０で形成されうる。角度１３２０は、長形体１３０２に対して１５度と６０度との間でありうる。少なくとも一つの例で、角度１３２０は約３０度である。
【００８４】
図１５は、長形体１３０２に対して或る角度で配置された複数のＬＥＤアレイ１３０８を有する長形体１３０２を詳細に示しているが、長形体１３０２の長さ１３５０に垂直な光を発するようにＬＥＤアレイ１３０８を配置することは本開示の範囲内である。長形体１３０２に対していかなる角度でも光を分布させるように光学装置が具現されうる。レンズ１３１８は長形体１３０２に対して或る角度に維持され、レンズ１３１８とＬＥＤアレイ１３０８との間に光学機器が配設される。
【００８５】
長形体１３０２は、前方部分１３２２と後方部分１３２４とを有する二部品構造でありうる。前方部分１３２２と後方部分１３２４とは、スナップ接続、圧入、実矧ぎ、またはねじ式締結具を介して一緒に結合されうる。長形体１３０２の二部品構造は、中に配設される内部構成要素、例えば複数のＬＥＤアレイ１３０８のへのアクセスを容易にできる。少なくとも一つの例で、湿潤／高湿度環境条件から構成要素を密封するためガスケットが含まれうる。バルブは、圧力均衡化を可能にするが水分の侵入は防止するように構成されうる。
【００８６】
光スタックアセンブリ１３００は、その中に配設されて複数のＬＥＤアレイ１３０８と結合される複数のレンズモジュール１００を有しうる。少なくとも一つの例で、各ＬＥＤアレイ１３０８は、これと結合される複数のレンズモジュール１００を有しうる。別の例で、各ＬＥＤアレイ１３０８は、これと結合される単一のレンズモジュール１００を有しうる。
【００８７】
図１６は、本開示による光スタックアセンブリの一部組立状態の後方部分である。後方部分１３２４は、制御モジュール１３１０と複数のＬＥＤアレイ１３０８とを収容しうる。制御モジュール１３１０は複数のＬＥＤアレイ１３０８の各々と結合され、発光状態と非発光状態との間で各々を移行させるように構成されている。
【００８８】
制御モジュール１３１０は、図９〜１２に関して上に記載されたマスタ制御装置８０６を具備しうる。制御モジュール１３１０はマスタ制御装置８０６と結合されるかこれと一体化され、植物入力ユニット８１０に結合されて命令を受信する。植物入力ユニット８１０は上に記載したようにＬＥＤアレイ１３０８の周期的な振幅変動を制御し、制御モジュール１３１０へ命令を送信して、発光状態と非発光状態との間で一つ以上のＬＥＤアレイ１３０８を移行させることができる。
【００８９】
少なくとも一つの例で、制御モジュール１３１０は、所定時間の後に複数のＬＥＤアレイ１３０８の各々を非発光状態から発光状態へ移行させることができる。制御モジュール１３１０は長形体１３０２の一端部から長形体の反対端部まで複数のＬＥＤアレイ１３０８の各々を順に移行させることができる。別の例で、制御モジュール１３１０は複数のＬＥＤアレイ１３０８の各々を所定時間で移行させることができ、各ＬＥＤアレイ１３０８は異なる所定時間を有する。別の例で、制御モジュール１３１０は、複数の近接センサ１３１２による対象物の検出に従ってＬＥＤアレイ１３０８の各々を移行させることができる。また別の例で、制御モジュール１３１０は、植物入力ユニット８１０から受信した命令に従って複数のＬＥＤアレイ１３０８を移行させることができる。植物入力ユニット８１０は、複数のＬＥＤアレイ１３０８の各々の移行の前に適切な所定時間を決定できる。
【００９０】
制御モジュール１３１０は、植物成長の適切な段階で適切なＬＥＤアレイ１３０８を移行させることにより、エネルギー効率を高めて光スタックアセンブリ１３００の総消費を削減することができる。例えば、植物成長の初期段階（発芽）では、近位端部１３０４のＬＥＤアレイ１３０８が操作されうる。植物の背が伸びるにつれて、長形体１３０２の中央にある次のＬＥＤアレイ１３０８が非発光状態から発光状態へ移行されて、最適な成長のために充分な光照射を植物が受けることを保証する。制御モジュール１３１０は、植物の成長が起こると次のＬＥＤアレイ１３０８の移行を継続して、必要な関係するＬＥＤアレイ１３０８のみが移行することを保証し、こうしてエネルギーを節約しうる。少なくとも一つの例で、制御モジュールは、植物が或る高さに達した後に発光状態から非発光状態へＬＥＤアレイ１３０８を移行させることができる。
【００９１】
光スタックアセンブリ１３００は、ＬＥＤアレイ１３０８に配設されるレンズモジュール１００を具備し、複数の電力出力制御装置８０４とマスタ制御装置８０６とは制御モジュール１３１０と協働して個々のＬＥＤアレイ１３０８および光スタックアセンブリ１３００のエネルギー消費を削減する。
【００９２】
図示されて上に記載された実施形態は単なる例である。本件技術の多数の特徴および利点が、本開示の構造および機能の詳細とともに上記説明で提示されたが、開示は例示的に過ぎず、添付の請求項で使用される語の広く一般的な意味により表される全範囲において本開示の原理内で部品の詳細、とりわけ形状、サイズ、配置について変更が加えられうる。それゆえ、上に記載された実施形態は添付請求項の範囲内で修正されうることが認識されるだろう。
【符号の説明】
【００９３】
１００  多角度レンズモジュール
１０２  受光エリア
１０４  発光エリア
１０６  側壁
１０８  輪郭部分
１１０  側壁
１１２  輪郭部分
１１４  第１反射角度
１１６  第２反射角度
１１８  内面
１２０  外面
１２４  上方部分
１２６  拡散体
１２８  リップ
１３２  第１個別輪郭部分
１３４  第２個別輪郭部分
１３６，１３８  区分
１５０  所定距離
１５２  法線ベクトル
１５４  光源
１５８  光分布
２００  多角度レンズモジュール
２０２  受光エリア
２０４  発光エリア
２１０  側壁
２１２  輪郭部分
２１６  第２反射角度
２５０  所定距離
２５２  法線ベクトル
３００  システム
３０２  多角度レンズモジュール
３０４  トレイ
３０６  周囲要素
３０８  リップ
８００  照明システム
８０２  光源
８０４  電力出力制御装置
８０６  マスタ制御装置
８０８，８１２，８１４，８１６  グループ
８１０  植物入力ユニット
８１１  モバイル電子機器
８１８  光アレイ
８１９  電気結合
８２０，８２２，８２４  ピーク振幅
８２６  第１所定時間
８２８  第２所定時間
８３０  細孔サイズ
８３２  光吸収
８３４  第１時間
８３６  第２時間
８３８  第３時間
１３００  光スタックアセンブリ
１３０２  長形体
１３０４  近位端部
１３０６  遠位端部
１３０８  ＬＥＤアレイ
１３１０  制御モジュール
１３１２  近接センサ
１３１４  ネットワーク接続
１３１６  放熱部分
１３１８  レンズ
１３２０  角度
１３２２  前方部分
１３２４  後方部分
１３５０  長さ
１３５２  装着構造
【図１】
2020518118.tif 000005
【図２】
2020518118.tif 000006
【図３】
2020518118.tif 000007
【図４】
2020518118.tif 000008
【図５】
2020518118.tif 000009
【図６】
2020518118.tif 000010
【図７】
2020518118.tif 000011
【図８】
2020518118.tif 000012
【図９】
2020518118.tif 000013
【図１０Ａ】
2020518118.tif 000014
【図１０Ｂ】
2020518118.tif 000015
【図１１】
2020518118.tif 000016
【図１２】
2020518118.tif 000017
【図１３】
2020518118.tif 000018
【図１４】
2020518118.tif 000019
【図１５】
2020518118.tif 000020
【図１６】
2020518118.tif 000021
【国際調査報告】
2020518118.tif 000022